(57)【特許請求の範囲】
【請求項１】
扉に組み込んだ錠前本体を挟んで扉の片面に取り付ける操作具と、他面に取り付ける連動体とを一体回転可能に連結する回転伝達軸であって、  前記操作具に設けた回転伝達可能な穴形状の嵌合穴に一端を嵌合する一方、前記連動体に設けた回転伝達可能な穴形状の嵌合穴に他端を嵌合する軸部と、前記錠前本体のボス部に設けた回転伝達可能な穴形状の軸受穴に嵌合するストッパとからなり、  該ストッパは、前記軸部の長さ方向中心に該軸部と一体に設け、中心に該軸部が貫通する支持部と、該支持部の軸線方向一側に前記軸受穴より拡径に設ける鍔部と、前記支持部の軸線方向他側に前記軸受穴より高く設ける可撓性をもった引っ掛り部とからなり、前記ボス部を前記鍔部と引っ掛り部とで挟んで軸線方向の動きを規制する状態で前記支持部を前記軸受穴に嵌め込んでなることを特徴とする、扉用錠前の回転伝達軸。
【請求項２】
樹脂製の前記ストッパに金属製の前記軸部をインサート成形により一体に設けてなることを特徴とする、請求項１に記載の扉用錠前の回転伝達軸。
【発明の詳細な説明】
【技術分野】
【０００１】
本発明は、扉に内装した錠前本体を間に挟んで扉の片面に取り付けるサムタン、レバーハンドル、ノブ等の操作具と、他面に取り付けるサムタン、レバーハンドル、表示器等の連動体とを一体回転可能に連結する扉用錠前の回転伝達軸に関する。
【背景技術】
【０００２】
従来、この種の扉用の錠前、たとえば図８に示すように、引戸１に組み付けて使用するサムタン式鎌錠は、鎌錠本体２を間に挟んで引戸１の片面に外部操作用サムタン３を取り付け、他面に内部操作用サムタン４を取り付け、外側サムタン３のサムタン摘み３ａに有する嵌合穴３ｂに、鎌錠本体２に有する角穴状の軸受穴２ａを貫挿した角軸状の回転伝達軸５の一端５ａを嵌合する一方、他端５ｂを、内側サムタン４のサムタン摘み４ａに有する嵌合穴４ｂに嵌合して両サムタン３・４を一体回転可能に連結し、サムタン摘み３ａ・４ａの一方を回すと、鎌が回動して引戸１を施解錠するようになっている。
【０００３】
この従来のサムタン式鎌錠では、例えば比較的薄い上記引戸１に対応した規定長さ寸法の回転伝達軸５を使用し、その回転伝達軸５の一端５ａを外部操作用サムタン３の嵌合穴３ｂにいっぱいに嵌め込む一方、他端５ｂを内部操作用サムタン４の嵌合穴４ｂに所定の飲込み代深さは嵌合し、両側サムタン３・４の連結強度が十分に確保されるように連結している。
【先行技術文献】
【特許文献】
【０００４】
【特許文献１】特開２００５−４２５０６
【発明の概要】
【発明が解決しようとする課題】
【０００５】
ところが、従来、例えば同じサムタン式鎌錠を、より厚さのある引戸にそのまま同じ回転伝達軸５を使って組み付けると、回転伝達軸５は、所定厚さの比較的薄い引戸１に対応した規定長さ寸法の角軸であるため、図９に示すように、回転伝達軸５の両端が嵌合穴３ｂ・４ｂの穴縁近くで浅く嵌合し、この程度の浅い嵌合状態では、軸線方向に少しズレ動くだけでも、嵌合穴３ｂ・４ｂから外れやすく、サムタン摘み３ａ・４ａを回しても空回りするという問題があった。従って、従来は、引戸１など、各種扉の厚さの規定サイズに合わせて、その数だけ長さの異なる回転伝達軸をわざわざ用意する必要があるという課題があった。
【０００６】
そこで、本発明が解決せんとする課題は、扉厚の規定サイズごとに長さの異なる扉用錠前の回転伝達軸を用意する必要がなく、異なる厚さの扉に対し一定長さの回転伝達軸を兼用できるようにすることにある。
【課題を解決するための手段】
【０００７】  この課題を解決すべく、請求項１に記載の扉用錠前の回転伝達軸は、たとえば以下に示す図示実施の形態のとおり、扉に組み込んだ錠前本体を挟んで扉の片面に取り付ける操作具と、他面に取り付ける連動体とを一体回転可能に連結する回転伝達軸３０であって、前記操作具に設けた回転伝達可能な穴形状の嵌合穴３５に一端４５ａを嵌合する一方、前記連動体に設けた回転伝達可能な穴形状の嵌合穴４０に他端４５ａを嵌合する軸部４５と、前記錠前本体のボス部２２ａに設けた回転伝達可能な穴形状の軸受穴２２に嵌合するストッパ５０とからなり、該ストッパ５０は、前記軸部４５の長さ方向中心に該軸部４５と一体に設け、中心に該軸部４５が貫通する支持部５０ａと、該支持部５０ａの軸線方向一側に前記軸受穴２２より拡径に設ける鍔部５０ｂと、前記支持部５０ａの軸線方向他側に前記軸受穴２２より高く設ける可撓性をもった引っ掛り部５０ｃとからなり、前記ボス部２２ａを前記鍔部５０ｂと引っ掛り部５０ｃとで挟んで軸線方向の動きを規制する状態で前記支持部５０ａを前記軸受穴２２に嵌め込んでなることを特徴とする。【０００８】
請求項２に記載の発明は、請求項１に記載の扉用錠前の回転伝達軸において、たとえば以下に示す図示実施の形態のとおり、樹脂製の前記ストッパ５０に金属製の前記軸部４５をインサート成形により一体に設けてなることを特徴とする。
【発明の効果】
【０００９】
本発明によれば、扉に組み込んだ錠前本体を挟んで扉の片面に取り付ける操作具と、他面に取り付ける連動体とを一体回転可能に連結するとき、回転伝達軸は、軸部の軸線方向中心でストッパを錠前本体の軸受穴に嵌着して戸厚方向中間にある軸受穴のボス部で軸支するから、軸部の両端がそれぞれ操作具と連動体の嵌合穴に均等に嵌合するため、それだけ操作具と連動体の連結強度が高められ、その結果、回転伝達性能をより向上させることができる。
【００１０】
更に、本発明によれば、同じ回転伝達軸を使って錠前を、より厚さのある扉にそのまま同じように組み付けると、厚さの差だけ、回転伝達軸の両端が操作具と連動体の嵌合穴の入口近くに浅く嵌合することになるが、回転伝達軸は、軸部の軸線方向中心でストッパを錠前本体の軸受穴に嵌着して戸厚方向中間にある軸受穴のボス部で軸支するから、軸部の両端がそれぞれ操作具と連動体の嵌合穴に浅くても均等に嵌合し、しかも、ストッパの鍔部と引っ掛り部とでボス部を挟んで戸厚方向にズレ動くのを規制された状態で軸支されるため、同じ長さの回転伝達軸を使って錠前をより厚い扉にそのまま組み付ける場合でも、両側の操作具と連動体の連結強度を低下させることなく確実に連結して高い回転伝達性能を維持することができる。従って、本発明の回転伝達軸によれば、各種扉の厚さの規定サイズに合わせて、その数だけ長さの異なるものを用意する必要がなく、異なる厚さの扉に対し一定長さのもので兼用することができる。
【００１１】
加えて、本発明によれば、回転伝達軸は、扉に組み付けた錠前のメンテナンス等のために取り外したり取り替えたりするときでも、ストッパの引っ掛り部が撓み可能であるため、軸部を軸線方向に押し引きすれば、それだけで一体のストッパが軸受穴から擦り抜けて簡単に着脱させることができる。
【図面の簡単な説明】
【００１２】
【図１】本発明による回転伝達軸を備えたサムタン式鎌錠の図５中線Ｘ―Ｘに沿って得た縦断面図である。
【図２】（ａ）は回転伝達軸の斜視図、（ｂ）は正面図ある。
【図３】サムタン式鎌錠の分解斜視図である。
【図４】図３と向きを違えて示す同じサムタン式鎌錠の分解斜視図である。
【図５】サムタン式鎌錠の正面図である。
【図６】厚さの異なる引戸に本発明による回転伝達軸を適用した場合を説明するサムタン式鎌錠の図１と同様な縦断面図である。
【図７】サムタン式鎌錠を取り付けた引戸の構造体を示す斜視図である。
【図８】従来の回転伝達軸を備えたサムタン式鎌錠を引戸取付状態で示す縦断面図である。
【図９】従来の同じサムタン式鎌錠をより厚さのある引戸に取り付けた状態を示す縦断面図である。
【発明を実施するための形態】
【００１３】
以下、図面を参照しつつ、本発明の実施形態について説明する。
【００１４】
図７は、本発明の回転伝達軸を備えるサムタン式鎌錠を取り付けた引戸構造体を示している。図示引戸構造体は、引戸１０を、矩形な戸枠１１の上枠部１１ａに引戸レールの案内で開閉方向にスライド移動自在に吊り込み、引手１２に手を掛けてスライド移動させて、床Ｆと戸枠１１と戸袋壁Ｗで囲んだ開口部を開閉する一方、引戸１０には、戸先寄りの側端部１０ａで引手１２の上側に錠前のサムタン式鎌錠Ｒを組み付け、これを開閉時に操作して引戸１０を施解錠する構造になっている。
【００１５】
そのため、図示例の引戸１０は、例えば戸厚が２．８ｍｍの比較的薄い戸体で、図１に示すように、枠組内に中空部１０ｂを有した木製パネルからなる。この引戸１０には、サムタン式鎌錠Ｒの後述する鎌錠本体２０の外形状に合わせて、戸先側の木口面に縦穴を穿設する一方、その縦穴が連通する中空部１０ｂを挟んだ片側の戸板１０ｃにサムタン穴１５を穿設し、他側の戸板１０ｄにサムタン穴１６を穿設している。
【００１６】
鎌錠Ｒは、鎌錠本体２０と、戸板１０ｃのサムタン穴１５に取り付ける操作具のサムタン２４と、戸板１０ｄのサムタン穴１６に取り付ける連動体のサムタン２５と、戸枠１１の縦枠部１１ｂに取り付ける鎌受け（図示省略）からなる。鎌錠本体２０は、図３、図４および図５に示すように、錠ケース１７と、錠ケース１７内に組み込んで回動自在に支持する鎌１８と、サムタン２４・２５を連結する本発明の回転伝達軸３０と、トリガ１４等を備えた構成になっている。
【００１７】
錠ケース１７は、片側を開放した浅底なケース本体１７ａに蓋板１７ｂを被せて薄箱状に組み立て、片側側部に縦長な取付板１７ｃを接着し、取付板１７ｃの図中上下の縦方向中間に、鎌１８の先端鎌部１８ａが出入りする細長い鎌出入口２１を設け、その鎌出入口２１の図中下側にトリガ１４が出入りするトリガ穴１３を設けてなる。また、錠ケース１７には、取付板１７ｃと反対の他側側部に、回転伝達軸３０が貫挿する回転伝達可能な四角い穴形状の軸受穴２２が設けられている。鎌１８は、回転中心穴に鎌軸２３を通して枢着し、鎌出入口２１から先端鎌部１８ａが突出する施錠姿勢と錠ケース１７内に引っ込む解錠姿勢とに、略９０度回動変位可能に鎌軸２３で支持している。
【００１８】
操作具のサムタン２４は、サムタン座２６とサムタン摘み２７からなる。サムタン座２６は、丸くて底浅なタライ状をなし、開口部周縁に環状の鍔部２６ａを延ばし、底板部２６ｂの中心に円形の回転中心穴２８（図６参照）を穿設し、回転中心穴２８の両側に内周に雌ねじを螺設した一対のねじ管２９を立設している。サムタン摘み２７は、中央が細く両端にゆくに従い太くなった摘み部２７ａと、摘み部２７ａの細い中央部に設ける段付き円柱状のボス部２７ｂとからなり、ボス部２７ｂの中心から摘み部２７ａの上面側へ奥深く嵌合穴３５を設けてなる。嵌合穴３５は、サムタン摘み２７の摘み部２７ａの厚さに合わせて扁平に形成するが、回転伝達が可能な四角い穴形状に穿設している。そこで、サムタン摘み２７は、ボス部２７ｂをサムタン座２６の回転中心穴２８にワッシャ３１を介して嵌着し、サムタン座２６に回動自在に取り付けてなる。
【００１９】
一方、連動体のサムタン２５は、サムタン座３３とサムタン摘み３４からなる。サムタン座３３は、サムタン座２６と同様に、丸くて底浅なタライ状をなし、開口部周縁に環状の鍔部３３ａを延ばし、底板部３３ｂの中心に円形の回転中心穴３６（図６参照）を穿設し、回転中心穴３６の両側に、一対のねじ穴３７を設けてなる。サムタン摘み３４は、サムタン摘み２７と同様に、中央が細く両端にゆくに従い太くなった摘み部３４ａと、摘み部３４ａの細い中央部に設ける段付き円柱状のボス部３４ｂとからなり、ボス部３４ｂの中心から摘み部３４ａの上面側へ奥深く嵌合穴４０を設けてなる。嵌合穴４０は、サムタン摘み３４の摘み部３４ａの厚さに合わせて扁平に形成するが、回転伝達が可能な四角い穴形状に穿設している。そこで、サムタン摘み３４は、ボス部３４ｂをサムタン座３３の回転中心穴３６にワッシャ３２を介して嵌着し、サムタン座３３に回動自在に取り付けてなる。
【００２０】
回転伝達軸３０は、操作具のサムタン２４に一端４５ａを連動体のサムタン２５に他端４５ｂを連結する金属製の軸部４５と、軸部４５にインサート成形により一体に設ける樹脂製のストッパ５０からなる。
【００２１】
図示例の軸部４５は、回転伝達が可能な四角形で扁平な形状の金属製バーで、引戸１０を含む各種扉の中で厚さの比較的薄い、例えば２．８ｍｍ厚の扉に対応した規定長さ寸法のステンレスバーからなる。
【００２２】
ストッパ５０は、図２に示すように、軸部４５の軸線方向中心に一体に設け、中心に軸部４５が貫通する支持部５０ａと、支持部５０ａの軸線方向一側に設ける鍔部５０ｂと、他側に設ける引っ掛り部５０ｃとからなる。支持部５０ａは、鎌錠本体２０の軸受穴２２に合わせて、回転伝達が可能な矩形状の四面体で形成する。鍔部５０ｂは、鎌錠本体２０の軸受穴２２より拡径な円板状に形成する。引っ掛り部５０ｃは、支持部５０ａの一面３８の軸線方向一側において、軸線方向と直交する向きに細溝５４を凹設すると共に、端縁に細溝５４に沿って鎌錠本体２０の軸受穴２２より高く爪状に係止片５５を凸設し、係止片５５に可撓性をもたせた形状に形成してなる。
【００２３】
さて、上述した構成の回転伝達軸３０を使ってサムタン式鎌錠Ｒを、比較的薄い２．８ｍｍ厚の引戸１０に組み付ける場合は、戸先側木口面の縦穴から、鎌錠本体２０を引戸１０内に差し入れて取付板１７ｃを木口面にねじ止めすることにより、鎌錠本体２０を、引戸１０の中空部１０ｂにおいて戸厚方向中間位置に固設する。それから、本発明の回転伝達軸３０を、図６に示すように、鎌錠本体２０の軸受穴２２に嵌着してボス部２２ａで軸支する。そのとき、回転伝達軸３０は、撓み可能なストッパ５０の係止片５５をサムタン穴１６側に向けて、軸部４５の一端４５ａをサムタン穴１６から鎌錠本体２０の軸受穴２２を貫いてストッパ５０を軸受穴２２に押し込むようにして嵌め込む。すると、ストッパ５０は、係止片５５が撓みながら軸受穴２２を擦り抜けて支持部５０ａが軸受穴２２に嵌合し、ボス部２２ａを鍔部５０ｂと引っ掛り部５０ｃの間に挟んで軸受穴２２に嵌着する。これにより、回転伝達軸３０は、ストッパ５０の鍔部５０ｂと引っ掛り部５０ｃとで軸線方向、即ち、引戸１０の戸厚方向の動きを規制された状態で、戸厚方向中間のボス部２２ａで水平に軸支される。
【００２４】
しかる後、サムタン穴１５から外部に臨む回転伝達軸３０の軸部４５の一端４５ａを、サムタン２４の嵌合穴３５に嵌合してサムタン座２６をサムタン穴１５に嵌め込む一方、サムタン穴１６から外部に臨む回転伝達軸３０の軸部４５の他端４５ｂを、サムタン２５の嵌合穴４０に嵌合してサムタン座３３をサムタン穴１６に嵌め込んでから、ねじ穴３７に止めねじ６０を通してサムタン２４側のねじ管２９にねじ込み、サムタン２４・２５のサムタン座２６・３３３をそれぞれ引戸１０の戸板１０ｃ・１０ｄに固定し、サムタン摘み２７・３４を一体回転可能に連結する。そのとき、回転伝達軸３０は、軸部４５の軸線方向中心でストッパ５０を鎌錠本体２０の軸受穴２２に嵌着し、その軸受穴２２のボス部２２ａで水平に軸支するから、軸部４５の両端４５ａ・４５ｂがそれぞれサムタン摘み２７・３４の嵌合穴３５・４０に所定飲込み代分の長さだけ奥深く、しかも、両端均等に嵌合するため、それだけサムタン摘み２７・３４の連結強度が高められ、その結果、回転伝達性能をより向上させることができる。
【００２５】
ところで、同じ回転伝達軸３０を使って上記サムタン式鎌錠Ｒを、図１に示すように、今度は比較的厚い、例えば３．５ｍｍ厚の引戸１０´にそのまま同じように組み付けると、その引戸と上記２．８ｍｍ厚の引戸１０との厚さの差だけ、回転伝達軸３０の両端４５ａ・４５ｂがサムタン２４・２５の嵌合穴３５・４０の入口近くに浅く嵌合する。しかし、本発明の回転伝達軸３０は、軸部４５の軸線方向中心でストッパ５０を鎌錠本体２０の軸受穴２２に嵌着して戸厚方向中間にある軸受穴２２のボス部２２ａで水平に軸支するから、軸部４５の両端４５ａ・４５ｂがそれぞれサムタン摘み２７・３４の嵌合穴３５・４０に浅くても均等に嵌合し、しかも、ストッパ５０の鍔部５０ｂと引っ掛り部５０ｃとでボス部２２ａを挟んで戸厚方向にズレ動くのを規制された状態で軸支されるため、同じ長さの回転伝達軸３０を使って上記サムタン式鎌錠Ｒをより厚い引戸にそのまま組み付ける場合でも、両側のサムタン摘み２７・３４の連結強度を低下させることなく確実に連結して高い回転伝達性能を維持することができる。従って、本発明の回転伝達軸３０によれば、引戸１０・１０´など、各種扉の厚さの規定サイズに合わせて、その数だけ長さの異なるものを用意する必要がなく、異なる厚さの扉に対し一定長さのもので兼用することができる。
【００２６】
他方、本発明の回転伝達軸３０は、上述のように引戸に組み付けたサムタン式鎌錠Ｒのメンテナンス等のために取り外したり取り替えたりするときでも、ストッパ５０の引っ掛り部５０ｃの係止片５５が撓み可能であるため、軸部４５を軸線方向に押し引きすれば、それだけで一体のストッパ５０が軸受穴２２から擦り抜けて簡単に着脱させることができる。
【００２７】
なお、本発明の回転伝達軸３０は、サムタン式鎌錠Ｒを引戸に組み付ける場合に適用したが、扉の片面に操作具を取り付け、他面に連動体を取り付ける錠前であれば、そのような鎌錠に限らず、シリンダ錠やラッチング錠など他の錠前であってもよく、また、引戸に限らず、開き戸や折戸など他の各種扉に適用することができる。更に、図示例では、扉を挟んだ片面の操作具と他面の連動体が共にサムタン２４・２５であったが、扉片面の操作具がサムタンの他、レバーハンドル、ノブ等であってもよく、他面の連動体がサムタンの他、レバーハンドル、表示器等であってもよい。なお、扉片面の操作具は、回転式のサムタン等に限らず、直線的に押し引き操作する押しボタン式操作具なども含まれ、また、扉他面の連動体も、回転式の表示器等に限らず、表示板を上下動させて表示する表示器等も含まれる。
【符号の説明】
【００２８】
Ｒ                  サムタン式鎌錠（錠前）
１０・１０´        引戸（扉）
１５・１６          サムタン穴
２０                鎌錠本体（錠前本体）
２２                軸受穴
２２ａ              ボス部
２４・２５          サムタン
２６・３３          サムタン座
２７・３４          サムタン摘み
３０                回転伝達軸
３５・４０          嵌合穴
４５                軸部
５０                ストッパ
５０ａ              支持部
５０ｂ              鍔部
５０ｃ              引っ掛り部
５４                細溝
５５                係止片
【図１】
0005121900.tif 000002
【図２】
0005121900.tif 000003
【図３】
0005121900.tif 000004
【図４】
0005121900.tif 000005
【図５】
0005121900.tif 000006
【図６】
0005121900.tif 000007
【図７】
0005121900.tif 000008
【図８】
0005121900.tif 000009
【図９】
0005121900.tif 000010